(57)【特許請求の範囲】
【請求項１】
固有の識別情報及びタグ情報を記憶した１つ又は複数の無線タグに対して無線通信を行って前記識別情報又は前記タグ情報を読み取るための少なくとも前記無線タグと同数のアンテナと、前記アンテナが複数の場合、前記無線通信を行うアンテナを予め定められた切換パターンに応じて順次切り換え、前記全てのアンテナの切り換えが終わると再度前記切換パターンに応じて前記アンテナを順次切り換える切換手段とを有する通信手段と、
前記無線タグが記憶する識別情報の読み取りを前記通信手段に対して行わせる識別情報読取制御手段と、
前記無線タグが記憶するタグ情報の読み取りを前記通信手段に対して行わせるタグ情報読取制御手段と、
前記通信手段によって読み取られた識別情報を記憶する記憶手段と、
前記記憶された識別情報を用いて無線通信を行う前記アンテナの数を決定する決定手段と、
を備え、前記タグ情報読取制御手段は、前記決定手段によって決定された前記アンテナの数と同じ数だけ前記通信手段に対して前記タグ情報の読み取りを行わせることを特徴とする無線タグ読取装置。
【請求項２】
前記無線タグ読取装置が動作可能な状態に遷移した直後、前記識別情報読取制御手段は前記通信手段に対して前記識別情報の読み取りを行わせるものであることを特徴とする請求項１に記載の無線タグ読取装置。
【請求項３】
前記アンテナによって前記識別情報が読み取られる毎に、前記記憶手段に記憶された識別情報の中から直近で読み取られた前記識別情報と同一の識別情報を検出する検出手段を更に備え、
前記検出手段によって前記同一の識別情報が検出されたとき、前記識別情報読取制御手段は前記通信手段による前記識別情報の読み取りを中止し、前記決定手段は前記記憶手段に記憶された識別情報の数を前記アンテナの数として決定することを特徴とする請求項１又は２に記載の無線タグ読取装置。
【請求項４】
前記識別情報読取制御手段は、前記通信手段が所有可能な前記アンテナの最大個数と同じ回数だけ前記識別情報の読み取りを前記通信手段に対して行わせ、
前記識別情報の読み取り終了後、前記決定手段は前記記憶手段に記憶された識別情報の種類の数を前記アンテナの数として決定することを特徴とする請求項１又は２に記載の無線タグ読取装置。
【請求項５】
請求項１〜４の何れか一項に記載の無線タグ読取装置と、
前記無線タグが記憶するタグ情報の読み取り開始を指示する命令信号を前記無線タグ読取装置に対して出力する制御装置と、
を備え、前記制御装置から出力された命令信号に応答して、前記タグ情報読取制御手段は、前記決定手段によって決定された前記アンテナの数と同じ回数だけ前記通信手段に対して前記タグ情報の読み取りを行わせることを特徴とする無線タグシステム。
【請求項６】
コンピュータを、
固有の識別情報及びタグ情報を記憶した１つ又は複数の無線タグに対して無線通信を行って前記識別情報又は前記タグ情報を読み取るための少なくとも前記無線タグと同数のアンテナを有する通信部に対して前記無線タグが記憶する識別情報の読み取りを行わせる識別情報読取制御手段、
前記通信部に対して前記無線タグが記憶するタグ情報の読み取りを行わせるタグ情報読取制御手段、
前記アンテナによって読み取られた識別情報を用いて無線通信を行う前記アンテナの数を決定する決定手段、
として機能させ、前記タグ情報読取制御手段が前記決定手段によって決定された前記アンテナの数と同じ数だけ前記通信部に対して前記タグ情報の読み取りを行わせることを特徴とするプログラム。
【請求項７】
前記コンピュータが動作可能な状態に遷移した直後、前記識別情報読取制御手段が前記通信部に対して前記識別情報の読み取りを行わせることを特徴とする請求項６に記載のプログラム。
【請求項８】
前記コンピュータを、
前記アンテナによって前記識別情報が読み取られる毎に、前に読み取られた前記識別情報の中から直近で読み取られた前記識別情報と同一の識別情報を検出する検出手段として更に機能させ、
前記検出手段によって前記同一の識別情報が検出されたとき、前記識別情報読取制御手段が前記通信部による前記識別情報の読み取りを中止し、前記決定手段が前記読み取られた識別情報の数を前記アンテナの数として決定することを特徴とする請求項６又は７に記載のプログラム。
【請求項９】
前記識別情報読取制御手段が、前記通信部が所有可能な前記アンテナの最大個数と同じ回数だけ前記識別情報の読み取りを前記通信部に対して行わせ、
前記決定手段が前記読み取られた識別情報の種類の数を前記アンテナの数として決定することを特徴とする請求項６又は７に記載のプログラム。
【請求項１０】
外部から入力される前記無線タグが記憶するタグ情報の読み取り開始を指示する命令信号に応答して、前記タグ情報読取制御手段が、前記決定手段によって決定された前記アンテナの数と同じ回数だけ前記通信部に対して前記タグ情報の読み取りを行わせることを特徴とする請求項６〜９の何れか一項に記載のプログラム。
【発明の詳細な説明】
【技術分野】
【０００１】
本発明は、無線タグに記憶された識別情報及びタグ情報を読み取るための無線タグ読取装置、無線タグシステム及びプログラムに関するものである。
【背景技術】
【０００２】
ＲＦＩＤ（Radio Frequency Identification：無線自動識別）を用いた無線タグシステムの導入によって、製品や物流、物品管理等の様々なシーンで無線タグが使用されるようになり、今後も高い将来性が期待されている（特許文献１参考）。無線タグシステムの導入は上記分野に限らず、例えば、プリンタ、複写機等の画像形成装置に用いられるトナーやインク等を収容したカートリッジの管理にも利用されている。
【０００３】
図１４は、無線タグシステム１の電気的構成を簡単に説明するためのブロック図である。以下、この無線タグシステム１が画像形成装置に用いられる場合を例に説明する。無線タグシステム１は画像形成装置本体側に設置され、ｎ個の無線タグ９はそれぞれカートリッジに取り付けられる。例えば、画像形成装置が４色カートリッジ（ＢＫ、Ｃ、Ｍ、Ｙ）に対応している場合、各色のカートリッジに対して少なくとも１つの無線タグ９が取り付けられる。無線タグ９は内部にメモリと通信回路を備え、このメモリには無線タグ９固有の識別情報、及びカートリッジに収容されるトナーやインクの種類や特性、カートリッジの使用回数等の無線タグ９が取り付けられた物品に関する情報（タグ情報）が記憶されている。
【０００４】
無線タグシステム１は、制御装置２及び無線タグ読取装置３を備えて構成される。制御装置２はＣＰＵ（Central Processing Unit：中央処理装置）やその周辺回路を備え、所定のプログラムに基づいた処理を実行し無線タグ読取装置３への命令出力やデータ転送を行う。
【０００５】
無線タグ読取装置３は、インタフェース（Ｉ／Ｆ）４、制御部５及び通信部６を備えて構成される。インタフェース４は、所定のプロトコルに従って制御装置２と制御部５の間のデータ送受信を行う。制御部５は、ＣＰＵやその周辺回路（不図示）を備え、所定のプログラムに基づいた処理を実行し無線タグ読取装置３を構成する各機能部への命令出力やデータ転送を行って無線タグ読取装置３全体の制御を行う。
【０００６】
通信部６は、無線タグ９と無線通信を行うためのアンテナの他、搬送波発振回路、変調回路、復調回路等を有して構成され、制御部５から出力される指示信号に応答して無線タグ９に対して電磁波を送信する。
【０００７】
無線タグシステム１の動作の流れについて簡単に説明する。制御装置２が無線タグ９のタグ情報の読み取りを命令するタグ情報読取命令信号を出力し、この信号を制御部５がインタフェース４を介して入力すると、制御部５はまず通信部６に搬送波を送信させる。通信部６のアンテナから搬送波が送信されると、無線タグ９はこの搬送波を利用して内部の各機能部に対して電力を供給して活性化する。通信部６は、無線タグ９からの応答信号を受信するまで搬送波を送信する。
【０００８】
続いて制御部５はタグ情報の出力要求を意味するコマンドを乗せた変調波を通信部６に送信させる。無線タグ９がこの変調波を受信すると、内部メモリに記憶されたタグ情報を乗せた電磁波を返信する。通信部６はこの電磁波を受信して復調し、タグ情報を読み取る。
【特許文献１】特開２００５−９２７８７号公報
【発明の開示】
【発明が解決しようとする課題】
【０００９】
上述したような無線タグ読取装置３の一連の動作は、制御部５が有するメモリ（不図示）に記憶されている基本プログラム、即ちファームウェアをＣＰＵが読み出して実行することによって実現される。このファームウェアは開発時間・コストの削減のために、通信部６のチャネル数（アンテナ数）に関わらず共通のファームウェアが使用されていることが多い。しかし、チャネル数の多少に関わらず共通のファームウェアに従って無線タグ読取装置３の動作が行われると、無駄な処理が多くなり、タグ情報の読取時間が増加してしまうという問題があった。
【００１０】
そこで、図１５に示すように、制御部５に含まれるＣＰＵの入力端子に入力される信号レベルに応じてチャネル数を認識させる方法が知られている。図１５において、５００は制御部５に含まれるＣＰＵであり、入力端子ＰＩ０をチャネルモード設定端子として割り当てる。端子ＰＩ０にはプルアップ抵抗Ｒ１の一端が接続され、プルアップ抵抗Ｒ１の他端は電源電圧ＶＤＤに接続される。
【００１１】
そして、端子ＰＩ０とＧＮＤとの間のジャンパ抵抗Ｒ２の接続有無によって端子ＰＩ０に入力される信号レベルが変化する。この信号レベルの違いによって、ＣＰＵ５００が単チャネル又は多チャネルの何れかを設定していた。しかし、この方法はＣＰＵ５００に対してチャネルモード設定端子を割り当てる必要があり、入力端子に余裕がない場合は採用できないという問題があった。更に、プルアップ抵抗Ｒ１やジャンパ抵抗Ｒ２の配設が必要となり、配設コストや手間がかかっていた。
【００１２】
この他に、制御装置２から制御部５に対して単チャネル又は多チャネルを指示する信号を出力させる方法がある。しかしこの方法は制御装置２と制御部５との間の信号の送受信が増え、制御装置２の処理負荷が増大してしまうという問題があった。
【００１３】
本発明は、上記の問題を解決するためになされたもので、単チャネル又は多チャネルに関わらず共通のファームウェアを用いる無線タグ読取装置において、無駄な処理を行うことなく無線タグの読み取りを行わせることを目的とするものである。
【課題を解決するための手段】
【００１４】
本発明の請求項１に記載の発明の無線タグ読取装置は、固有の識別情報及びタグ情報を記憶した１つ又は複数の無線タグに対して無線通信を行って前記識別情報又は前記タグ情報を読み取るための少なくとも前記無線タグと同数のアンテナと、前記アンテナが複数の場合、前記無線通信を行うアンテナを予め定められた切換パターンに応じて順次切り換え、前記全てのアンテナの切り換えが終わると再度前記切換パターンに応じて前記アンテナを順次切り換える切換手段とを有する通信手段と、前記無線タグが記憶する識別情報の読み取りを前記通信手段に対して行わせる識別情報読取制御手段と、前記無線タグが記憶するタグ情報の読み取りを前記通信手段に対して行わせるタグ情報読取制御手段と、前記通信手段によって読み取られた識別情報を記憶する記憶手段と、前記記憶された識別情報を用いて前記アンテナの数を決定する決定手段と、を備え、前記タグ情報読取制御手段は、前記決定手段によって決定された前記アンテナの数と同じ数だけ前記通信手段に対して前記タグ情報の読み取りを行わせることを特徴としている。
【００１５】
また、請求項６に記載の発明のプログラムは、コンピュータを、固有の識別情報及びタグ情報を記憶した１つ又は複数の無線タグに対して無線通信を行って前記識別情報又は前記タグ情報を読み取るための少なくとも前記無線タグと同数のアンテナを有する通信部に対して前記無線タグが記憶する識別情報の読み取りを行わせる識別情報読取制御手段、前記通信部に対して前記無線タグが記憶するタグ情報の読み取りを行わせるタグ情報読取制御手段、前記アンテナによって読み取られた識別情報を用いて前記アンテナの数を決定する決定手段、として機能させ、前記タグ情報読取制御手段が前記決定手段によって決定された前記アンテナの数と同じ数だけ前記通信部に対して前記タグ情報の読み取りを行わせることを特徴としている。
【００１６】
この請求項１及び６に記載の発明によれば、通信手段（通信部）が無線タグに記憶されている識別情報を読み取ることによって決定手段がアンテナ数を決定することができ、その後、タグ情報読取制御手段が通信手段（通信部）に対してタグ情報の読み取りを行わせる際に、アンテナ数の回数だけタグ情報の読み取りを行うよう制御することができる。つまり、タグ情報読取制御手段は通信手段（通信部）に対して必要な回数だけタグ情報の読み取りを行わせることができ、タグ情報の読み取りを不必要な回数行う等の無駄な処理を省くことができる。更にタグ情報の読取時間を短縮することができる。
【００１７】
請求項２に記載の発明は、請求項１に記載の無線タグ読取装置であって、前記無線タグ読取装置が動作可能な状態に遷移した直後、前記識別情報読取制御手段は前記通信手段に対して前記識別情報の読み取りを行わせるものであることを特徴としている。
【００１８】
また、請求項７に記載の発明は、請求項６に記載のプログラムであって、前記コンピュータが動作可能な状態に遷移した直後、前記識別情報読取制御手段が前記通信部に対して前記識別情報の読み取りを行わせることを特徴としている。
【００１９】
この請求項２及び７に記載の発明によれば、無線タグ読取装置が動作可能な状態に遷移した直後（例えば、電源投入直後）に、識別情報読取制御手段が通信手段（通信部）に対して無線タグの識別情報の読み取りを開始させることにより、早い段階で決定手段がアンテナ数の決定を行うことができ、その後タグ情報読取制御手段が通信手段（通信部）に対してタグ情報の読み取り制御を行う際に、決定されたアンテナ数を有効的に活用することができる。
【００２０】
請求項３に記載の発明は、請求項１又は２に記載の無線タグ読取装置であって、前記アンテナによって前記識別情報が読み取られる毎に、前記記憶手段に記憶された識別情報の中から直近で読み取られた前記識別情報と同一の識別情報を検出する検出手段を更に備え、前記検出手段によって前記同一の識別情報が検出されたとき、前記識別情報読取制御手段は前記通信手段による前記識別情報の読み取りを中止し、前記決定手段は前記記憶手段に記憶された識別情報の数を前記アンテナの数として決定することを特徴としている。
【００２１】
また、請求項８に記載の発明は、請求項６又は７に記載のプログラムであって、前記コンピュータを、前記アンテナによって前記識別情報が読み取られる毎に、前に読み取られた前記識別情報の中から直近で読み取られた前記識別情報と同一の識別情報を検出する検出手段として更に機能させ、前記検出手段によって前記同一の識別情報が検出されたとき、前記識別情報読取制御手段が前記通信部による前記識別情報の読み取りを中止し、前記決定手段が前記読み取られた識別情報の数を前記アンテナの数として決定することを特徴としている。
【００２２】
この請求項３及び８に記載の発明によれば、検出手段が通信手段（通信部）によって前に読み取られた識別情報（記憶手段に記憶された識別情報）の中から直近で読み取られた識別情報と同一のものを逐次検出することによって、同一の識別情報が検出されたとき、決定手段は前に読み取られた識別情報の数をアンテナ数として決定することができる。そして、タグ情報読取制御手段は通信手段（通信部）に対して決定されたアンテナ数の回数だけタグ情報の読み取りを行わせることができるため、タグ情報の読み取りに係る無駄な処理を省くことができ、読取時間を短縮することができる。
【００２３】
請求項４に記載の発明は、請求項１又は２に記載の無線タグ読取装置であって、前記識別情報読取制御手段は、前記通信手段が所有可能な前記アンテナの最大個数と同じ回数だけ前記識別情報の読み取りを前記通信手段に対して行わせ、前記識別情報の読み取り終了後、前記決定手段は前記記憶手段に記憶された識別情報の種類の数を前記アンテナの数として決定することを特徴としている。
【００２４】
また、請求項９に記載の発明は、請求項６又は７に記載のプログラムであって、前記識別情報読取制御手段が、前記通信部が所有可能な前記アンテナの最大個数と同じ回数だけ前記識別情報の読み取りを前記通信部に対して行わせ、前記決定手段が前記読み取られた識別情報の種類の数を前記アンテナの数として決定することを特徴としている。
【００２５】
この請求項４及び９に記載の発明によれば、識別情報読取制御手段が、通信手段（通信部）が所有可能なアンテナの最大個数と同じ回数だけ通信手段（通信部）に対して識別情報の読み取りを行わせることにより、決定手段は読み取られた識別情報の種類をアンテナ数として決定することができる。そして、タグ情報読取制御手段は通信手段（通信部）に対して決定されたアンテナ数の回数だけタグ情報の読み取りを行わせることができるため、タグ情報の読み取りに係る無駄な処理を省くことができ、読取時間を短縮することができる。
【００２６】
請求項５に記載の発明の無線タグシステムは、請求項１〜４の何れか一項に記載の無線タグ読取装置と、前記無線タグが記憶するタグ情報の読み取り開始を指示する命令信号を前記無線タグ読取装置に対して出力する制御装置と、備え、前記制御装置から出力された命令信号に応答して、前記タグ情報読取制御手段は、前記決定手段によって決定された前記アンテナの数と同じ回数だけ前記通信手段に対して前記タグ情報の読み取りを行わせることを特徴としている。
【００２７】
また、請求項１０に記載の発明は、請求項６〜９の何れか一項に記載のプログラムであって、外部から入力される前記無線タグが記憶するタグ情報の読み取り開始を指示する命令信号に応答して、前記タグ情報読取制御手段が、前記決定手段によって決定された前記アンテナの数と同じ回数だけ前記通信部に対して前記タグ情報の読み取りを行わせることを特徴としている。
【００２８】
この請求項５及び１０に記載の発明によれば、請求項１〜４及び請求項６〜９と同様の効果を奏することができる。
【発明の効果】
【００２９】
請求項１及び６に記載の発明によれば、通信手段（通信部）が無線タグに記憶されている識別情報を読み取ることによって決定手段がアンテナ数を決定することができ、その後、タグ情報読取制御手段が通信手段（通信部）に対してタグ情報の読み取りを行わせる際に、アンテナ数の回数だけタグ情報の読み取りを行うよう制御することができる。つまり、タグ情報読取制御手段は通信手段（通信部）に対して必要な回数だけタグ情報の読み取りを行わせることができ、タグ情報の読み取りを不必要な回数行う等の無駄な処理を省くことができる。更にタグ情報の読取時間を短縮することができる。
【００３０】
請求項２及び７に記載の発明によれば、無線タグ読取装置が動作可能な状態に遷移した直後に、識別情報読取制御手段が通信手段（通信部）に対して無線タグの識別情報の読み取りを開始させることにより、早い段階で決定手段がアンテナ数の決定を行うことができ、その後タグ情報読取制御手段が通信手段（通信部）に対してタグ情報の読み取り制御を行う際に、決定されたアンテナ数を有効的に活用することができる。
【００３１】
請求項３及び８に記載の発明によれば、検出手段が通信手段（通信部）によって前に読み取られた識別情報の中から直近で読み取られた識別情報と同一のものを逐次検出することによって、同一の識別情報が検出されたとき、決定手段は前に読み取られた識別情報の数をアンテナ数として決定することができる。そして、タグ情報読取制御手段は通信手段（通信部）に対して決定されたアンテナ数の回数だけタグ情報の読み取りを行わせることができるため、タグ情報の読み取りに係る無駄な処理を省くことができ、読取時間を短縮することができる。
【００３２】
請求項４及び９に記載の発明によれば、識別情報読取制御手段が、通信手段（通信部）が所有可能なアンテナの最大個数と同じ回数だけ通信手段（通信部）に対して識別情報の読み取りを行わせることにより、決定手段は読み取られた識別情報の種類をアンテナ数として決定することができる。そして、タグ情報読取制御手段は通信手段（通信部）に対して決定されたアンテナ数の回数だけタグ情報の読み取りを行わせることができるため、タグ情報の読み取りに係る無駄な処理を省くことができ、読取時間を短縮することができる。
【００３３】
請求項５及び１０に記載の発明によれば、請求項１〜４及び請求項６〜９と同様の効果を奏することができる。
【発明を実施するための最良の形態】
【００３４】
以下、本発明の一実施形態に係る無線タグシステムについて図面を参照して説明する。尚、本実施の形態では、一例として無線タグシステムが画像形成装置におけるトナーやインク等を収容したカートリッジの管理に用いられる場合について説明するが、無線タグシステムの利用対象はこの限りではない。
【００３５】
図１は、１つのアンテナを持つ単チャネルの無線タグ読取装置３を備える無線タグシステム１の電気的構成を示すブロック図である。尚、図１４にて示した無線タグシステム１と同じ構成要素については同じ符号を付し、説明を省略する。
【００３６】
本実施の形態における無線タグシステム１は制御装置２及び無線タグ読取装置３を備えて構成され、画像形成装置の本体内部に設置される。無線タグ読取装置３は、インタフェース４、制御部（検出手段）５及び通信部（通信手段）６を備えて構成される。
【００３７】
制御部５は指示信号出力部（識別情報読取制御手段、タグ情報読取制御手段）５１、チャネル数決定部（決定手段）５２、ＲＡＭ（Random Access Memory：記憶手段）５３、ＲＯＭ（Read Only Memory）５４を備えて構成される。指示信号出力部５１は、制御装置２から出力される命令信号や制御部５による制御に従って、通信部６に対して搬送波出力制御信号や変調制御信号等の指示信号を出力する。チャネル数決定部５２は通信部６から出力された無線タグ９の識別情報を用いてチャネル数を決定する。ＲＡＭ５３は、制御部５の作業用メモリであり、通信部６から出力された識別信号やタグ情報等を一時的に記憶する。
【００３８】
ＲＯＭ５４は、無線タグ読取装置３の基本動作を実現するための無線タグ読取プログラム５４１（ファームウェア）やデータ等を記憶する。無線タグ読取プログラム５４１は、通信部６のチャネル数を決定し、制御装置２から出力されるタグ情報読取命令信号に応答して無線タグ９のタグ情報を読み取るためのプログラムである。
【００３９】
通信部６は、制御部５から出力される指示信号に応答して無線タグ９と無線通信を行うものであり、搬送波発振回路６１、変調回路６２、アンテナ６３及び復調回路６４を備えて構成される。搬送波発振回路６１は、指示信号出力部５１から出力される搬送波出力制御信号に応答して搬送波を生成する。変調回路６２は、指示信号出力部５１から出力される無線タグ９に対するコマンド情報を含んだ変調制御信号に基づいて搬送波発振回路６１で生成された搬送波を変調する。
【００４０】
アンテナ６３は搬送波発振回路６１で生成された搬送波や変調回路６２で変調された変調波を送信し、無線タグ９から送信された電磁波を受信する。アンテナ６３は受信した電磁波を電気信号に変換して復調回路６４へ出力する。復調回路６４はアンテナ６３から出力された電気信号を復調して情報を抽出し、抽出した情報を復調信号として制御部５へ出力する。
【００４１】
図２は、複数のアンテナを持つ多チャネルの無線タグ読取装置３を備える無線タグシステム１の電気的構成を示すブロック図である。図２に示した単チャネルの無線タグシステム３を備える無線タグシステム１と同じ構成要素については同じ符号を付し、説明を省略する。図２に示すように、ｎ個の無線タグ９１、９２、・・・、９ｎ（ｎは２以上の整数。以下、包括的に「無線タグ９」と表記する）を無線通信の対象とする場合、通信部６は少なくともｎ個のアンテナ６３１、６３２、・・・、アンテナ６３ｎ（以下、包括的に「アンテナ６３」と表記する）を備え、各アンテナ６３は無線タグ９と一対一に対応付けられて設定される。
【００４２】
この他、通信部６は搬送波発振回路６１、変調回路６２、アンテナ切換回路（切換手段）６５及び復調回路６４を備えて構成される。変調回路６２は、制御部５から出力された変調制御信号に基づいて変調した変調波をアンテナ選択回路６５へ出力する。アンテナ切換回路６５は、アンテナ６３の中から無線通信を行うアンテナを選択し、送受信可能な状態に切り換える。選択されたアンテナは、無線タグ９と無線通信を行い、受信した電磁波を電気信号に変換してアンテナ選択回路６５を介して復調回路６４へ出力する。
【００４３】
尚、単チャネル、多チャネルに関わらず、制御部５の指示信号出力部５１からアンテナ制御信号が出力されるが、多チャネルの場合はアンテナ制御信号がアンテナ切換回路６５に入力されるのに対し、単チャネルの場合はアンテナ制御信号の出力はなされるが、何れの回路にも入力されない配線接続とする。アンテナ制御信号の入力がなくても、単チャネルの無線タグ読取装置３のアンテナ６３の入出力は搬送波発振回路６１、変調回路６２、復調回路６４等を介して制御部５と固定的に接続されている。このため、アンテナ制御信号の有無に関係なく、アンテナ６３が受信した電磁波は復調されて制御部５へ入力される。従って、図１と図２に示す無線タグ読取装置３は共通の無線タグ読取プログラムを用いることができる。
【００４４】
上述したような無線タグ読取装置３が、単チャネル又は多チャネルどちらであっても共通の無線タグ読取プログラムで動作可能であり、このことは無線タグ読取プログラムの開発にかかる労力や時間、コストの上でもメリットが大きいことは、既に述べた。そこで、従来の無線タグ読取プログラムと本発明における無線タグ読取プログラムとを比較するために、単チャネルと多チャネルの無線タグ読取装置３の各制御部５が従来の無線タグ読取プログラムに従って処理を実行したときの動作の流れについて説明する。
【００４５】
図３及び図４は、３チャネルの無線タグ読取装置３の制御部５が従来の無線タグ読取プログラムに従って処理を実行したときの各部の動作について説明するための図である。尚、無線タグ読取プログラムは、仮に最大３チャネル分の無線タグのタグ情報を読み取り可能なように構成されていることとする。更に、説明の便宜上、図３及び４においては無線タグ９１を「無線タグＡ」、無線タグ９２を「無線タグＢ」、無線タグ９３を「無線タグＣ」と符号を置き換え、アンテナ６３１を「アンテナＡ」、アンテナ６３２を「アンテナＢ」、アンテナ６３３を「アンテナＣ」と符号を置き換えて説明する。
【００４６】
まず制御装置２から無線タグＡのタグ情報の読み取りを指示するためのタグ情報読取命令信号が出力される（Ｐ１１）。この信号を受けて指示信号出力部５１は、搬送波出力制御信号とアンテナ６３１の選択を指示するためのアンテナ選択信号を出力する。アンテナ切換回路６５は使用するアンテナをアンテナＡに切り換え（Ｑ１１）、アンテナＡは搬送波発振回路６１によって生成された搬送波を送信する（Ｑ１２）。無線タグＡはこの搬送波を受信して活性化する（Ｒ１１）。
【００４７】
続いて指示信号出力部５１はタグ情報の読み取りコマンドを含む制御信号を出力する（Ｑ１３）。この信号に基づいて変調回路６２が搬送波を変調し、アンテナＡが変調波を送信する。無線タグＡはこの変調波を受信すると、図示しない復調回路によって変調波を復調する。復調によってタグ情報の読み取りコマンドが抽出されると、無線タグＡは内部メモリからタグ情報を読み出し（Ｒ１２）、タグ情報を電磁波に乗せて送信する（Ｒ１３）。アンテナＡがこの電磁波を受信すると、復調回路６４が電磁波からタグ情報を抽出して制御部５へ出力する。制御部５はＲＡＭ５３のバッファＡにタグ情報を格納する（Ｑ１４）。
【００４８】
次に、指示信号出力部５１は、搬送波出力制御信号とアンテナＢの選択を指示するためのアンテナ選択信号を出力する。アンテナ切換回路６５は使用するアンテナをアンテナＢに切り換え（Ｑ１５）、アンテナＢは搬送波発振回路６１によって生成された搬送波を送信する（Ｑ１６）。無線タグＢはこの搬送波を受信して活性化する（Ｒ１４）。
【００４９】
続いて指示信号出力部５１はタグ情報の読み取りコマンドを含む制御信号を出力する（Ｑ１７）。この信号に基づいて変調回路６２が搬送波を変調し、アンテナＢが変調波を送信する。無線タグＢはこの変調波を受信すると、図示しない復調回路によって変調波を復調する。復調によってタグ情報の読み取りコマンドが抽出されると、無線タグＢは内部メモリからタグ情報を読み出し（Ｒ１５）、タグ情報を電磁波に乗せて送信する（Ｒ１６）。アンテナＢがこの電磁波を受信すると、復調回路６４が電磁波からタグ情報を抽出して制御部５へ出力する。制御部５はＲＡＭ５３のバッファＢにタグ情報を格納する（Ｑ１８）。
【００５０】
次に、指示信号出力部５１は、搬送波出力制御信号とアンテナＣの選択を指示するためのアンテナ選択信号を出力する。そしてアンテナ切換回路６５によって使用するアンテナがアンテナＣに切り換えられると、上述した動作と同じ動作で無線タグＣのタグ情報を読み取り、バッファＣへ格納する（Ｑ２３）。
【００５１】
そして制御部５は３チャネル分のタグ情報の読み取りが終了したことを示す信号を制御装置２へ出力する（Ｑ２３）。制御装置２がこの信号を入力すると（Ｐ１２）、制御装置２はタグ情報Ａの要求信号を出力する（Ｐ１３）。制御部５はＲＡＭ５３のバッファＡに格納されているタグ情報を読み出して（Ｑ２４）、タグ情報を制御装置２へ出力する（Ｑ２５）。制御装置２はこのタグ情報を入力する（Ｐ１４）。続いて制御装置２はタグ情報Ｂ及びタグ情報Ｃの要求信号を順次出力する。制御部５はこの要求信号に応答してタグ情報Ｂ及びタグ情報ＣをＲＡＭ５３の各バッファから読み出して、制御装置２へ出力する（Ｑ２６〜Ｑ２９）。制御装置２がタグ情報Ｂ及びタグ情報Ｃを入力して（Ｐ１５〜Ｐ１８）、タグ情報の読み取り動作が完了する（Ｐ１９）。
【００５２】
続いて、単チャネルの無線タグ読取装置３の制御部５が従来の無線タグ読取プログラムに従って処理を実行したときの各部の動作について図５を用いて説明する。尚、無線タグ読取プログラムは、上述と同様に仮に最大３チャネル分の無線タグのタグ情報を読み取り可能なように構成されていることとする。更に、説明の便宜上、図５においては無線タグ９１を「無線タグＡ」、アンテナ６３を「アンテナＡ」と符号を置き換えて説明する。
【００５３】
まず制御装置２から無線タグＡのタグ情報の読み取りを指示するためのタグ情報読取命令信号が出力される（Ｐ２１）。この信号を受けて指示信号出力部５１は搬送波出力制御信号を出力し（Ｑ３１）、アンテナ６３は搬送波発振回路６１によって生成された搬送波を送信する（Ｑ３２）。無線タグＡはこの搬送波を受信して活性化する（Ｒ２１）。
【００５４】
続いて指示信号出力部５１はタグ情報の読み取りコマンドを含む制御信号を出力する。この信号に基づいて変調回路６２が搬送波を変調し、アンテナ６３が変調波を送信する（Ｑ３３）。無線タグＡはこの変調波を受信すると、図示しない復調回路によって変調波を復調する。復調によってタグ情報の読み取りコマンドが抽出されると、無線タグＡは内部メモリからタグ情報を読み出し（Ｒ２２）、タグ情報を電磁波に乗せて送信する（Ｒ２３）。アンテナ６３がこの電磁波を受信すると、復調回路６４が電磁波からタグ情報を抽出して制御部５へ出力する。制御部５はＲＡＭ５３のバッファＡにタグ情報を格納する（Ｑ３４）。
【００５５】
そして、上記した搬送波出力制御信号の出力（Ｑ３１）から受信したタグ情報のバッファＡへの格納（Ｑ３４）と同じ動作（無線タグＡについてはＲ２１〜Ｒ２３）があと２回繰り返される。つまり、無線タグＡのタグ情報の読取動作が合計３チャネル分（３回）行われる。
【００５６】
そして制御部５はタグ情報の読み取りが終了したことを示す信号を制御装置２へ出力する（Ｑ４３）。制御装置２がこの信号を入力すると（Ｑ２２）、制御装置２はタグ情報Ａの要求信号を出力する（Ｐ２３）。制御部５はＲＡＭ５３のバッファＡに格納されているタグ情報を読み出して（Ｑ４４）、タグ情報を制御装置２へ出力する（Ｑ４５）。制御装置２１はこのタグ情報を入力し（Ｐ２４）、タグ情報の読み取り動作が完了する。
【００５７】
このように、従来の無線タグ読取プログラムでは、無線タグ読取装置３のチャネル数の認識が行われない。換言すると、上記の例の場合、無線タグ読取装置３が単チャネルであっても、タグ情報の読出動作は必ず３チャネル分（３回）行われる。つまり、図５に示す無線タグ読取装置３の動作において、動作Ｑ３１〜Ｑ３４で無線タグＡのタグ情報の読み取りは完了しているにも関わらず、無線タグ読取プログラムが３チャネル用の構成になっているために、その後に同じ内容の読取動作が２回も行われている。つまり、動作Ｑ３６〜Ｑ４２と動作Ｒ２４〜Ｒ２９の２回分のタグ情報の読取動作は必要のない無駄な動作であることが言える。
【００５８】
また、図３及び４に示した多チャネルの無線タグ読取装置３のタグ情報の読取動作においても、例えば８チャネル分のタグ情報の読み取りが必ず行われるよう無線タグ読出プログラムが構成されている場合、３チャネル分のタグ情報の読出動作の後に、無駄な読取動作が５回分も行われることになる。無線タグ読取装置３が単チャネル又は多チャネルの何れであっても共通の無線タグ読取プログラムで動作可能であることはメリットが大きいが、そのためにタグ情報の読み取りのために無駄な動作が増え、制御装置２にタグ情報が入力されるまでに多くの時間がかかり、その後に制御装置２において実行される処理にも支障をきたしていた。
【００５９】
そこで、本発明においては、無線タグ読取装置３のチャネル数に関わらず共通の無線タグ読取プログラム５４１を用いると共に、プログラムの実行によってチャネル数を認識することによって無駄な処理を減らした無線タグ読取プログラムを提案する。
【００６０】
まず、多チャネルの無線タグ読取装置３の制御部５が本発明における無線タグ読取プログラム５４１に従って無線タグ読取処理を実行したときの各部の動作の流れについて図６〜９を用いて説明する。この無線タグ読取処理は、無線タグ読取装置３が動作可能な状態（例えば、電源投入直後）になると制御部５によってＲＯＭ５４から無線タグ読取プログラム５４１が読み出されて実行される。
【００６１】
まず、指示信号出力部５１は搬送波出力制御信号とアンテナＡの選択を指示するためのアンテナ選択信号を出力する。ここで、アンテナ選択信号は、アンテナ切換回路６５に対してアンテナを切り換えるタイミングを指示するためのトリガ信号であればよい。アンテナ切換回路６５は使用するアンテナをアンテナＡに切り換える（Ｑ５１）。これにより、アンテナＡは搬送波発振回路６１によって生成された搬送波を送信し（Ｑ５２）、無線タグＡはこの搬送波を受信して活性化する（Ｒ３１）。
【００６２】
続いて指示信号出力部５１は識別情報の読み取りコマンドを含む制御信号（識別情報読取指示信号）を出力する（Ｑ５３）。識別情報とは無線タグの内部メモリに記憶されている情報であり、無線タグの製造時に設定された無線タグ固有の番号である。この他、無線タグは各カートリッジに取り付けられているが、カートリッジに収容されたトナーやインクの色情報（ＢＫ、Ｃ、Ｍ、Ｙ）がタグ情報として記憶されている場合、この色情報を識別情報として使用してもよい。
【００６３】
識別情報読取指示信号に基づいて変調回路６２が搬送波を変調し、アンテナＡが変調波を送信する。無線タグＡはこの変調波を受信すると、図示しない復調回路によって変調波を復調する。復調によって識別情報の読み取りコマンドが抽出されると、無線タグＡは内部メモリから識別情報を読み出し（Ｒ３２）、識別情報を電磁波に乗せて送信する（Ｒ３３）。アンテナＡがこの電磁波を受信すると、復調回路６４が電磁波から識別情報を抽出して制御部５へ出力する。制御部５は抽出された識別情報とＲＡＭ５３に格納されている識別情報を比較する（Ｑ５４）。そして、抽出された識別情報と同じ識別情報がＲＡＭ５３内になければ、制御部５は抽出された識別情報をＲＡＭ５５に格納する（Ｑ５５）。
【００６４】
この無線タグの識別情報の読取動作（Ｑ５１〜５４、Ｒ３１〜Ｒ３３）は、アンテナ切換回路６５によって所定のアンテナ切換パターンでアンテナが順次切り換えられる毎に行われる。つまり、アンテナ切換回路６５は、指示信号出力部５１から出力されるアンテナ選択信号に応答して、アンテナＡ→アンテナＢ→アンテナＣと使用するアンテナを切り換え、その都度、無線タグＡ〜Ｃから識別情報を受信する。尚、アンテナ切換回路６５は搬送波出力制御信号や変調制御信号に応答して使用するアンテナを切り換えるようにしてもよい。図６及び７においては、無線タグＡの識別情報の読取動作はＱ５１〜５５とＲ３１〜Ｒ３３、無線タグＢの識別情報の読取動作はＱ５６〜６０とＲ３４〜Ｒ３６、無線タグＣの識別情報の読取動作はＱ６１〜６５とＲ３７〜３９である。
【００６５】
アンテナ切換回路６５は全てのアンテナの選択をし終えたら、再度所定のアンテナ切換パターンに従ってアンテナの選択を行う。つまり、無線タグＣの読取動作の終了後、指示信号出力部５１からアンテナ選択信号が出力されると、アンテナ切換回路６５は使用するアンテナをアンテナＡに切り換える。これにより、再び無線タグＡに対する識別情報の読取動作（Ｑ６６〜６８、Ｒ４０〜４２）が行われる。
【００６６】
そして制御部５は、復調回路６４によって抽出された無線タグＡの識別情報とＲＡＭ５３に格納された識別情報との比較を行う（Ｑ６９）。無線タグＡの識別情報は動作Ｑ５５において既にＲＡＭ５３内に格納されていることから、制御部５は抽出された識別情報と同一の識別情報が既にＲＡＭ５３に格納されていると判断する。つまり、制御部５は無線通信可能な全ての無線タグから識別情報を取得し終えたと判断する。そして、チャネル数決定部５２がＲＡＭ５３に格納されている識別情報の数からチャネル数を「３」に決定する（Ｑ７０）。このチャネル数を決定するための一連の動作は、無線タグ読取装置３の電源投入直後等に自動的に１回だけ行われる。
【００６７】
また、無線タグの識別情報の読取動作は、無線タグ読取装置３が配設可能な最大アンテナ数ｍ（ｍはｎ以上の整数；以下、単に「最大アンテナ数」と表記する）と同じ回数を上限に繰り返される。読み取られた識別情報とＲＡＭ５３に格納されている識別情報との一致がないまま、識別情報の読取動作がｍ回繰り返された場合、無線タグ読取装置３はｍ個のアンテナを備え、そのアンテナと一対一で対応する無線タグ全てから識別情報を読み取ったことになる。従って、識別情報の読取動作がｍ回行われたときは、読み取った識別情報と同一の識別情報がＲＡＭ５３から検出されなくても、チャネル数決定部５２はチャネル数をｍに決定する。
【００６８】
チャネル数の決定後、制御装置２から無線タグＡのタグ情報の読み取りを指示するためのタグ情報読取命令信号が出力されると（Ｐ３１）、制御部５はチャネル数決定部５２によって決定されたチャネル数の回数だけ（３回）順次アンテナを切り換えさせて、無線タグＡ〜Ｃのタグ情報の読取動作を行わせる（Ｑ７１〜８２、Ｒ４３〜５１）。ここで、指示信号出力部５１から出力されるアンテナ制御信号は、上述したように単なるトリガ信号であってもよいし、既にチャネル数が分かっているため、複数のアンテナの中から所望のアンテナを選択させるためのアンテナ番号を示す信号であってもよい。このように、制御装置２からタグ情報読取命令信号が出力される前に制御部５がチャネル数を認識するため、制御部５はタグ情報の読出動作を必要な回数だけ行わせることができ、無駄な読取動作を省くことができる。
【００６９】
制御部５がタグ情報の読み取りが終了したことを示す信号を制御装置２へ出力すると（Ｑ８３）、制御装置２は各タグ情報の要求信号を出力し、この要求信号に応答して無線タグ読取装置３は各バッファに格納されたタグ情報を出力する（Ｐ３２〜Ｐ３９、Ｑ８４〜Ｑ８９）。
【００７０】
次は、単チャネルの無線タグ読取装置３の制御部５が、本発明における同じ無線タグ読取プログラム５４１に従って無線タグ読取処理を実行したときの各部の動作の流れについて図１０及び１１を用いて説明する。無線タグ読取装置３が動作可能な状態になると、指示信号出力部５１は搬送波出力制御信号を出力し（Ｑ９１）、アンテナ６３は搬送波発振回路６１によって生成された搬送波を送信する（Ｑ９２）。無線タグＡはこの搬送波を受信して活性化する（Ｒ６１）。
【００７１】
続いて指示信号出力部５１は識別情報の読み取りコマンドを含む制御信号（識別情報読取指示信号）を出力し（Ｑ９３）、アンテナ６３が変調波を送信する。無線タグＡはこの変調波を受信すると、内部メモリから識別情報を読み出し（Ｒ６２）、識別情報を電磁波に乗せて送信する（Ｒ６３）。アンテナ６３がこの電磁波を受信して、復調回路６４が電磁波から識別情報を抽出して制御部５へ出力する。制御部５は抽出された識別情報とＲＡＭ５３に格納されている識別情報を比較する（Ｑ９４）。抽出された識別情報と同じ識別情報がＲＡＭ５３内になければ、制御部５は抽出された識別情報をＲＡＭ５３に格納する（Ｑ９５）。
【００７２】
上述したように、抽出された識別情報と同一の識別情報がＲＡＭ５３から検出されるまで、最大アンテナ数ｍと同じ回数を上限として、指示信号出力部５１は搬送波出力制御信号を出力する。従って、再度アンテナ６３から搬送波が送信されて無線タグＡの識別情報の読取動作が行われる（Ｑ９６〜９８、Ｒ６４〜６６）。
【００７３】
そして、制御部５は復調回路６４から抽出された識別情報を入力すると、抽出された識別情報とＲＡＭ５３に格納されている識別情報を比較する（Ｑ９９）。無線タグＡの識別情報は動作Ｑ９５において既にＲＡＭ５３に格納されていることから、制御部５は抽出された識別情報と同一の識別情報が既にＲＡＭ５３に格納されていると判断する。つまり、制御部５は無線通信可能な全ての無線タグから識別情報を取得し終えたと判断し、チャネル数決定部５２がＲＡＭ５３に格納されている識別情報の数からチャネル数を「１」に決定する（Ｑ１００）。
【００７４】
チャネル数の決定後、制御装置２から無線タグＡのタグ情報の読み取りを指示するためのタグ情報読取命令信号が出力されると（Ｐ４１）、制御部５はチャネル数決定部５２によって決定されたチャネル数だけ（１回）搬送波出力制御信号や変調制御信号を送信させて無線タグＡのタグ情報の読取動作を行わせる（Ｑ１０１〜１０４、Ｒ６７〜６９）。制御部５がタグ情報の読み取りが終了したことを示す信号を制御装置２へ出力すると（Ｑ１０５）、制御装置２は無線タグＡのタグ情報の要求信号を出力し（Ｒ４３）、この要求信号に応答して無線タグ読取装置３はバッファＡに格納されたタグ情報を出力する（Ｑ１０６、１０７）。
【００７５】
図５にて説明したように、単チャネルの無線タグ読取装置３の制御部５が従来の無線タグ読取プログラムに従って処理を実行すると、無線タグ読取装置３のチャネル数を認識せずに無線タグＡの読取動作を行うため、無線タグＡに対して同じ読取動作を３回も行う等の無駄な動作が多かった。しかし、同装置３の制御部５が本発明における無線タグ読取プログラム５４１に従って処理を実行すると、無線タグ９から読み取った識別情報に基づいて制御部５はチャネル数が１であることを認識することができる。そして、その後制御装置２からタグ情報読取命令信号が出力されると、制御部５は無線タグＡへのタグ情報の読取動作を１回だけ行わせる。このように、制御装置２からタグ情報読取命令信号が出力される前に、制御部５がチャネル数を認識することによって、タグ情報読み取りの際の無駄な動作を省くことができ、タグ情報の読取時間を短縮させることができる。
【００７６】
図１２は、制御部５が無線タグ読取プログラム５４１に従って処理を実行したときの流れを示すフローチャートである。無線タグ読取処理の流れについて説明するが、上述した各部の動作説明と重複する部分が多いため、簡単に説明する。
【００７７】
まず制御部５は変数ｉ（ｉは１以上の整数）を１に設定する（ステップＳ１１）。そして指示信号出力部５１から出力される各種制御信号に応答して、通信部６は無線タグ９に対して搬送波を送信して活性化させ、無線タグ９から識別情報を受信する（ステップＳ１２）。
【００７８】
続いて、制御部５は受信した識別情報とＲＡＭ５３に格納されている識別情報を比較する（ステップＳ１３）。ＲＡＭ５３内に受信した識別情報と同一の識別情報がなく（ステップＳ１３；ＮＯ）、変数ｉが最大アンテナ数ｍと等しくなければ（ステップＳ１４；ＮＯ）、制御部５は受信した識別情報をＲＡＭ５３に格納して変数ｉに１加算し（ステップＳ１５）、ステップＳ１２へ処理を移行する。
【００７９】
ＲＡＭ５３内に受信した識別情報と同一の識別情報がある場合（ステップＳ１３：ＹＥＳ）、チャネル数決定部５２はチャネル数を変数ｉの示す数に設定する（ステップＳ１６）。また、ステップＳ１４において制御部５が変数ｉと最大アンテナ数ｍが等しいと判断した場合（ステップＳ１４；ＹＥＳ）、チャネル数決定部５２はチャネル数を最大アンテナ数ｍが示す数に設定する（ステップＳ１７）。
【００８０】
次に、制御装置２からタグ情報読取命令信号が出力されると（ステップＳ１８；ＹＥＳ）、制御部５は変数ｉを１に設定する（ステップＳ１９）。そして指示信号出力部５１から出力される各種制御信号に応答して通信部６は無線タグ９に対して搬送波を送信して活性化させ、無線タグ９からタグ情報を受信する（ステップＳ２０）。制御部５は受信したタグ情報をＲＡＭ５３のバッファへ格納する（ステップＳ２１）。制御部５はステップＳ２０とＳ２１の処理をチャネル数決定部５２が決定したチャネル数の回数だけ繰り返した後、タグ情報読取終了信号を制御装置２に対して出力する（ステップＳ２４）。
【００８１】
次に、制御装置２からタグ情報要求信号が出力されると（ステップＳ２５；ＹＥＳ）、制御部５はＲＡＭ５３のバッファに格納されたタグ情報を読み出して制御装置２に対して出力する（ステップＳ２６）。
【００８２】
以上説明したように、無線タグ９の識別情報を読み取り、読み取った識別情報を用いてチャネル数を決定することにより、その後制御装置２からタグ情報読取命令信号が出力されたとき、制御部５は無線タグ９へのタグ情報の読取処理をチャネル数の回数だけ行うことができる。つまり、従来のように無線タグ９に対して必要回数以上にタグ情報の読取処理を行うことがないため、無駄な処理を省くことができ、タグ情報の読取時間を短縮することができる。
【００８３】
尚、本発明は上記実施の形態の構成に限られず種々の変形が可能である。例えば、上記実施の形態では、ＲＡＭ５３から同一の識別情報が検出されるまで無線タグ９の識別情報の読取処理を繰り返していたが、この他の方法として、無線タグ９の識別情報の読取処理を最大アンテナ数ｍの示す回数分だけ繰り返し、受信した識別情報の種類の数をチャネル数とするようにしてもよい。
【００８４】
図１３は、制御部５が無線タグ読取プログラム５４１の変形例に従って処理を実行したときの流れを示すフローチャートである。まず制御部５は変数ｉを１に設定する（ステップＳ３１）。そして指示信号出力部５１から出力される各種制御信号に応答して、通信部６は無線タグ９に対して搬送波を送信して活性化させ、無線タグ９から識別情報を受信する（ステップＳ３２）。
【００８５】
続いて、制御部５は変数ｉと最大アンテナ数ｍを比較する（ステップＳ３３）。変数ｉと最大アンテナ数ｍが等しくなければ（ステップＳ３３；ＮＯ）、制御部５は受信した識別情報をＲＡＭ５３に格納して変数ｉに１加算し（ステップＳ３４）、ステップＳ３２へ処理を移行する。一方、変数ｉと最大アンテナ数ｍが等しければ（ステップＳ３３；ＹＥＳ）、チャネル数決定部５２はＲＡＭ５３に記憶された識別情報の種類の数をチャネル数に設定する（ステップＳ３５）。ステップＳ３６以降の処理は、図１２に示すステップＳ１８以降の処理と同じであるため、説明を省略する。
【図面の簡単な説明】
【００８６】
【図１】本実施の形態における単チャネルの無線タグシステムの電気的構成を示すブロック図。
【図２】本実施の形態における多チャネルの無線タグシステム１の電気的構成を示すブロック図。
【図３】従来の無線タグ読取プログラムに従って処理を実行したときの動作の流れを説明した図。
【図４】図３に続く動作の流れを説明した図。
【図５】従来の無線タグ読取プログラムに従って処理を実行したときの動作の流れを説明した図。
【図６】本実施の形態の無線タグ読取プログラムに従って処理を実行したときの動作の流れを説明した図。
【図７】図６に続く動作の流れを説明した図。
【図８】図７に続く動作の流れを説明した図。
【図９】図８に続く動作の流れを説明した図。
【図１０】本実施の形態の無線タグ読取プログラムに従って処理を実行したときの動作の流れを説明した図。
【図１１】図１０に続く動作の流れを説明した図。
【図１２】本実施の形態における無線タグ読取プログラムに従って処理を実行したときの流れを示すフローチャート。
【図１３】本実施の形態における無線タグ読取プログラムの変形例に従って処理を実行したときの流れを示すフローチャート。
【図１４】無線タグシステムの電気的な概略構成を説明するためのブロック図。
【図１５】ＣＰＵの入力端子を用いてチャネル数を認識させる方法を説明するための図。
【符号の説明】
【００８７】
１      無線タグシステム
２      制御装置
３      無線タグ読取装置
４      インタフェース
５      制御部
５１    指示信号出力部
５２    チャネル数決定部
５３    ＲＡＭ
５４    ＲＯＭ
５４１  無線タグ読取プログラム
６      通信部
６１    搬送波発振回路
６２    変調回路
６３    アンテナ
６４    復調回路
６５    アンテナ切換回路
９      無線タグ
【図１】
0005069539.tif 000002
【図２】
0005069539.tif 000003
【図３】
0005069539.tif 000004
【図４】
0005069539.tif 000005
【図５】
0005069539.tif 000006
【図６】
0005069539.tif 000007
【図７】
0005069539.tif 000008
【図８】
0005069539.tif 000009
【図９】
0005069539.tif 000010
【図１０】
0005069539.tif 000011
【図１１】
0005069539.tif 000012
【図１２】
0005069539.tif 000013
【図１３】
0005069539.tif 000014
【図１４】
0005069539.tif 000015
【図１５】
0005069539.tif 000016